(57)【要約】像捕獲装置により発生されるデジタル像の色を補正する方法が提供される。この方法は、ビューモニタ上で実物の基準ターゲットの基準デジタル像を評価するステップと、基準デジタル像の少なくとも１つの色を、実物の基準ターゲット自体の対応する色と比較するステップと、デジタル像の少なくとも１つの色が実物の基準ターゲットの前記対応する色からずれる場合に弁別色補正プロセスを使用することにより基準デジタル像の少なくとも１つの色を修正するステップであって、前記弁別色補正プロセスが少なくとも１つの補正色組合せを発生するようなステップと、前記少なくとも１つの補正色組合せに基づいてデジタル像の色を補正するステップと、を備えている。
2006500877.tif 000002
【特許請求の範囲】
【請求項１】
像捕獲装置により発生されるデジタル像の色を補正する方法において、
ビューモニタ上で実物の基準ターゲットの基準デジタル像を評価するステップと、
前記基準デジタル像の少なくとも１つの色を、前記実物の基準ターゲット自体の対応する色と比較するステップと、
前記デジタル像の少なくとも１つの色が前記実物の基準ターゲットの前記対応する色からずれる場合に弁別色補正プロセスを使用することにより前記基準デジタル像の少なくとも１つの色を修正するステップであって、前記弁別色補正プロセスが少なくとも１つの補正色組合せを発生するようなステップと、
前記少なくとも１つの補正色組合せに基づいて前記デジタル像の色を補正するステップと、
を備えた方法。
【請求項２】
前記評価ステップは、前記基準デジタル像の少なくとも１つの色の選択された１つを、前記モニタの全ビュー表面に適合するように拡張する段階を含む請求項１に記載の方法。
【請求項３】
前記評価ステップは、色比較の技術において訓練された専門の色観察者により前記基準デジタル像を評価する段階を含む請求項１に記載の方法。
【請求項４】
前記比較ステップは、前記デジタル像の少なくとも一部分を前記実物の基準ターゲットと比較する段階を含む請求項１に記載の方法。
【請求項５】
前記弁別色補正プロセスは、ＣＭＹＫ減算的色補正プロセスを含む請求項１に記載の方法。
【請求項６】
前記修正ステップは、前記デジタル像の少なくとも１つの色を、前記実物の基準ターゲットの前記対応する色に良く一致するように修正する段階を含む請求項１に記載の方法。
【請求項７】
前記修正ステップは、前記比較ステップで、前記基準デジタル像の少なくとも１つの色が、シアンが強過ぎると決定された場合に、シアンを減算する段階、マゼンタ及びイエローの両方を加算する段階、レッドを加算する段階、並びにグリーン及びブルーの両方を減算する段階、の１つを含む請求項１に記載の方法。
【請求項８】
前記修正ステップは、前記比較ステップで、前記基準デジタル像の少なくとも１つの色が、ブルーが強過ぎると決定された場合に、イエローを加算する段階、シアン及びマゼンタの両方を減算する段階、ブルーを減算する段階、並びにレッド及びグリーンの両方を加算する段階、の１つを含む請求項７に記載の方法。
【請求項９】
前記修正ステップは、前記比較ステップで、前記基準デジタル像の少なくとも１つの色が、グリーンが強過ぎると決定された場合に、マゼンタを加算する段階、シアン及びイエローの両方を減算する段階、グリーンを減算する段階、並びにレッド及びブルーの両方を加算する段階、の１つを含む請求項７に記載の方法。
【請求項１０】
前記修正ステップは、前記基準デジタル像の少なくとも１つの色が明る過ぎる場合に中性濃度を減算する段階、及び前記基準デジタル像の少なくとも１つの色が暗過ぎる場合に中性濃度を加算する段階、の１つを含む請求項７に記載の方法。
【請求項１１】
前記修正ステップは、前記比較ステップで、前記基準デジタル像の少なくとも１つの色が、レッドが強過ぎると決定された場合に、シアンを加算する段階、マゼンタ及びイエローの両方を減算する段階、レッドを減算する段階、並びにグリーン及びブルーの両方を加算する段階、の１つを含む請求項１に記載の方法。
【請求項１２】
前記修正ステップは、前記比較ステップで、前記基準デジタル像の少なくとも１つの色が、マゼンタが強過ぎると決定された場合に、マゼンタを減算する段階、シアン及びイエローの両方を加算する段階、グリーンを加算する段階、並びにレッド及びブルーの両方を減算する段階、の１つを含む請求項１１に記載の方法。
【請求項１３】
前記修正ステップは、前記比較ステップで、前記基準デジタル像の少なくとも１つの色が、イエローが強過ぎると決定された場合に、イエローを減算する段階、シアン及びマゼンタの両方を加算する段階、ブルーを加算する段階、並びにレッド及びグリーンの両方を減算する段階、の１つを含む請求項１１に記載の方法。
【請求項１４】
前記修正ステップは、前記基準デジタル像の少なくとも１つの色が明る過ぎる場合に中性濃度を減算する段階、及び前記基準デジタル像の少なくとも１つの色が暗過ぎる場合に中性濃度を加算する段階、の１つを含む請求項１１に記載の方法。
【請求項１５】
前記評価ステップの前にビュー環境を校正するステップを更に備えた請求項１に記載の方法。
【請求項１６】
前記校正ステップは、前記モニタを校正する段階を含む請求項１５に記載の方法。
【請求項１７】
前記モニタを校正する前記段階は、
ａ）前記モニタの背景色を明るい中性グレーに設定する工程と、
ｂ）前記モニタのハードウェアホワイトポイントを、モニタの形式に基づく温度に設定する工程と、
ｃ）前記モニタのコントラスト、輝度、ガンマ、色バランス及びホワイトポイントを校正する工程と、
を含む請求項１６に記載の方法。
【請求項１８】
前記モニタは、ソニー・トリニトロン・マルチスキャンＥ４００モニタを含み、そして前記モニタのハードウェアホワイトポイントは、約９３００度ケルビンの色温度に設定される請求項１７に記載の方法。
【請求項１９】
前記ビュー環境を校正するステップは、環境照明を設定する段階を含む請求項１５に記載の方法。
【請求項２０】
前記環境照明は、拡散昼光カラープロフィールの６０００から７０００度ケルビンに設定される請求項１９に記載の方法。
【請求項２１】
前記環境照明は、拡散昼光カラープロフィールの約６５５０度ケルビンに設定される請求項２０に記載の方法。
【請求項２２】
前記評価及び修正ステップに対して１組の基本的評価色を定義するステップを更に備えた請求項１に記載の方法。
【請求項２３】
前記１組の基本的評価色は、レッド、グリーン及びブルーを含む請求項２２に記載の方法。
【請求項２４】
前記１組の基本的評価色は、更に、イエローを含む請求項２２に記載の方法。
【請求項２５】
前記１組の基本的評価色は、シアン、マゼンタ及びイエローを含む請求項２２に記載の方法。
【請求項２６】
前記１組の基本的評価色は、更に、中性濃度を含む請求項２５に記載の方法。
【請求項２７】
前記１組の基本的評価色は、顧客により与えられる１組の色に基づいて定義される請求項２２に記載の方法。
【請求項２８】
前記顧客により与えられる１組の色は、特定の商品で識別できる１組の色を含む請求項２７に記載の方法。
【請求項２９】
前記少なくとも１つの補正色組合せに基づいて色補正するための反復可能な手順を構成するステップを更に備えた請求項１に記載の方法。
【発明の詳細な説明】
【技術分野】
【０００１】
本発明は、補正的カラーサイエンス及びデジタル像の色補正方法に係る。
【背景技術】
【０００２】
チャールズポイントン著の「A Guided Tour of Color Space」及びミッシェルストークス著の「Color Management Concepts」に説明されたように、色とは、４００から７００ｎｍの波長を有する光が観察者の網膜に入射した知覚的結果である。人間の網膜は、異なるスペクトル応答曲線で入射放射に応答する３つの形式のカラー光受容体錐体細胞を有している。３つの形式のカラー光受容体があるので、色を示すのに３つの成分が必要であり且つそれで充分である。従って、色が見えるのは、本来、三色である。
【０００３】
カラーサイエンスの分野は、色を再現するための種々のモデル及びアルゴリズムを含み、これらは、色再現系統のほとんどの独立した断片を表わすと共に、カラーサイエンスの基本的な観点を表わすと考えられている。これらのモデルは、例えば、人間の視覚系統、顕色モデル、ガマットマッピング方法、装置マッピング及び測定方法、ユーザインテントアルゴリズム−色向上及び媒体インテントのセット、チャンネル−発生アルゴリズム−ブラック発生、連続対離散的アルゴリズム−ハーフトーン、エラー拡散、イッシュー−バンディング(issues-banding)補償、及びインク／媒体補償イッシュー−インク制限を含む。
【０００４】
これらのモデルは、入力及び出力の色空間を明確に定義する必要はないが、幾つかはそうであってもよい。このように、あるモデルは、例えば、色を、ある色空間又はビュー状態から別の状態へ変換する。
【０００５】
しかしながら、人間の視覚系統は、たとえそれが全ての色再現系統に対して基本的な測定規準及び共通の分母を与えるとしても、複雑な上に、充分にモデリングされないと考えられる。このため、色再現のほとんどの基準は、人間の視覚系統の概観で始まる。しかしながら、これらの基準の中で、人間の視覚系統が再現プロセスにいかに関連しているかを充分に説明するものは、僅かである。各デジタル色再現の適用は、最終的に、それが例えばエンドユーザにどれほど良く見えるかに基づいて判断される。
【０００６】
人間の視覚系統に基づく再現装置のための質的な測定規準を形成するには、人間の視覚系統の適度な数学的モデルが必要である。しかしながら、人間が色をいかに知覚するか完全に理解できる者はおらず、従って、人間の視覚系統の完全なモデルが単に存在しないと考えられる。これは、必然的に、開発者に人間の視覚系統を近似させるよう強制する。
【０００７】
これにも関わらず、人間の視覚系統の適度な近似を与える多数の理論的モデル、例えば、色空間、又はこれら色空間を含む顕色モデルが存在する。これらのモデルは、ネイティブ装置の色空間と、人間の視覚系統に基づく特定の色空間、例えば、ＣＩＥ  ＸＹＺとの間の変換を与える。ＣＩＥに基づく色空間は、特定のビュー条件及び媒体を仮定しているので、任意の装置又はビュー条件からの独立性を達成するために、顕色空間への変換を適用しなければならない。
【０００８】
2006500877.tif 000003
【０００９】
ＣＩＥ  ＸＹＺは、３つの三刺激値（Ｘ、Ｙ、Ｚ）の１つ、Ｙ値が、人間の視覚の明るさ感度に対応するスペクトル感度を有するように設計される。ソースの輝度Ｙは、色整合関数で重み付けされたスペクトルパワー密度（ＳＰＤ）の積分として得られる。
【００１０】
2006500877.tif 000004
【００１１】
2006500877.tif 000005
【００１２】
ＣＩＥ色系統は、上述した輝度成分Ｙと、２つの付加的な成分Ｘ及びＺとしての色の説明に基づく。Ｘ及びＺのスペクトル重み付け曲線は、人間の観察者を伴う経験からの統計学的情報に基づいてＣＩＥにより標準化されており、そしてＸＹＺの三刺激値は、いかなる色を説明することもできる。
【００１３】
概念的な理解及び計算の両方に対して、輝度が存在しないときに「純粋」な色の表現をもつのが便利である。ＣＩＥは、ＸＹＺ三刺激値を正規化して、２つの色度値ｘ及びｙを得るための手順を標準化している。次の投影的変換により関係が計算される。
2006500877.tif 000006
【００１４】
色は、図１ｃに示す（ｘ、ｙ）色度図におけるポイントとしてプロットされる。１つの波長のみにおけるパワーを含む狭帯域ＳＰＤが４００から７００ｎｍの範囲にわたってスイープされると、（ｘ、ｙ）座標において鮫のひれの形状のスペクトル軌跡１６５をトレースし、これは、座標１４５で始まり、座標１５０を経て続き、そして座標１５５で終了する。紫の感覚は、単一の波長では発生することができず、紫を発生するには、短波及び長波の光の混合を必要とする。紫の線１６０は、ブルー端（座標１４５）をレッド端（座標１５５）に接合する。真の（物理的）ＳＰＤの色度座標は、紫の線１６０及びスペクトル軌跡１６５により境界定めされ、全ての色は、色度図１４０のこの領域、例えば、ブルー座標１７０、グリーン座標１７５、レッド座標１８０、及びホワイトポイント座標（Ｄ65）１８５に収容される。ｘ及びｙを計算するのに使用される投影的変換は、２つのスペクトル又は２つの三刺激値の直線的組合せが（ｘ、ｙ）平面内の直線上にプロットされるようなものである。
【００１５】
色モデルは、例えば、直線的なレッド・グリーン・ブルー（ＲＧＢ）、非直線的なＲＧＢ、色相飽和値（ＨＳＶ）、及びＣＭＹＫを含む。
【００１６】
色空間は、当然、各色を説明するのに必要な全ての情報を含むが、複雑であるために、これらの色空間は、実世界の装置を具現化することが困難である。従って、物理的装置は、一般に、「カラーコード」方法を使用して色をエンコードし、これは、広範囲な色を簡単に且つ効率的に表わすことができる。
【００１７】
広範囲な色を再現するための最も簡単なやり方は、例えば、レッド、グリーン及びブルーの３つの異なる色の光から光を混合することであり、これは、加算的ＲＧＢ混合カラーコードと称される。物理的に言えば、異なる色の光、即ちレッド、グリーン及びブルーの各々からのスペクトルが互いに波長ごとに加算されて、混合物のスペクトルを形成する。この重畳原理の結果として、加算的ＲＧＢ混合物の色は、混合される三原色及び各原色一部分の厳密な関数となる。
【００１８】
図１ｅには、三原色着色材、即ちレッド（Ｒ）着色材２２５、グリーン（Ｇ）着色材２３０及びブルー（Ｂ）着色材２３５を使用する加算的色機構のＳＰＤが示されている。これら３つの着色材２２５、２３０、２３５は、互いにスペクトル的に加算して、加算的混合物２４０を形成する。
【００１９】
例えば、コンピュータモニタは、加算的ＲＧＢに基づいて色を発生する。このように、モニタの各ピクセルは、レッド、グリーン及びブルーの光を各々発生する２つの小さな光源を備えている。充分な距離からスクリーンを見ると、これらの光のスペクトルが観察者の網膜において加算される。
【００２０】
加算的な像再現では、ホワイトポイントが、等しいレッド、グリーン及びブルー成分により再現される色の色度である。即ち、ホワイトポイントは、原色の中のパワーの比（又はバランス）の関数である。
【００２１】
計算のためには、ホワイトを均一なＳＰＤとして定義することがしばしば便利である。しかしながら、昼光を近似する更に現実的な基準は、ＣＩＥにより光源Ｄ65として数値的に特定されている。印刷業界は、例えば、Ｄ50を通常使用し、そしてＤ55を写真に通常使用し、これらは、各々、屋内の条件（タングステン）と昼光で見る条件との間の妥協を表わす。
【００２２】
図１ｄには、標準的ＣＩＥホワイトポイント光源１９０のＳＰＤが示されている。光源１９０は、Ｄ50光源１９５と、Ｄ55光源２００と、Ｄ65光源２０５と、Ｄ75光源２１０と、タングステン光源２１５とのＳＰＤを含む。
【００２３】
加算的再現は、各原色に対して全ポジティブＳＰＤを発生する物理的装置に基づく。物理的に及び数学的に、スペクトルは加算される。最大の色範囲は、レッド、グリーン及びブルーに見える原色で発生される。人間の色視覚は、重畳の原理に従う。これは、三原色スペクトルの加算的混合により発生される色を、原色のＸＹＺ成分の対応する一部分を加算することで予想できることを意味する。このように、特定の１組のＲＧＢ原色から混合できる色が、原色自体の色で完全に決定される。
【００２４】
加算的ＲＧＢ系統は、その原色の色度及びそのホワイトポイントにより特定される。所与の１組のＲＧＢ原色から混合できる色の程度（ガマット）は、図１ｃに示された（ｘ、ｙ）色度図１４０において、頂点が原色の色度である三角形により与えられる。例えば、ブルー座標１７０、グリーン座標１７５及びレッド座標１８０より成る原色を使用して得られる色の（ガマット）は、頂点がブルー座標１７０、グリーン座標１７５及びレッド座標１８０である三角形内に含まれる全ての色座標で構成される。
【００２５】
従って、標準的な原色はなく、又、標準的なホワイトポイントもない。従って、例えば、原色の色度に関する情報を伴わずにＲＧＢ像が存在する場合には、その像データにより表わされる色を正確に決定することができない。
【００２６】
上述した加算的混合とは対照的に、ある範囲の色混合をエンコードするための別のやり方は、例えば、「減算的」シアン・マゼンタ・イエロー（ＣＭＹ）を使用して、比較的ブロードバンドの光源からスペクトルの一部分を選択的に除去することである。このように、光源は、ほとんど又は全ての可視スペクトルにわたって光を発生し、そして各次々のフィルタが帯域のある部分を透過し、他の部分を減衰する。物理的に言うと、混合物のスペクトルは、光源のスペクトルと、各着色材のスペクトル透過曲線との波長ｘ波長積である。即ち、着色材のスペクトル透過曲線で乗算される。
【００２７】
図１ｆには、色を発生するための減算的（ＣＭＹ）方法２４５の一例が示されている。この減算的（ＣＭＹ）方法２４５では、白色光源２５０が、イエロー（Ｙｌ）フィルタ２６５、マゼンタ（Ｍｇ）フィルタ２６０、及びシアン（Ｃｙ）フィルタ２５５を経て投影される。これらフィルタ２５５、２６０、２６５の各々は、白色光源２５０のＳＰＤから波長を「減算」するように働き、これにより、減算的混合物２７０の合成色ＳＰＤを発生する。
【００２８】
減算的システムにおいて広い色範囲を達成するには、着色されてシアン、イエロー及びマゼンタ（ＣＭＹ）に見えるフィルタを必要とし、そしてＲＧＢ情報を減算的像再現の基礎として使用することができる。例えば、再現されるべき色のブルー成分がゼロである場合には、イエローフィルタが、スペクトルの短波成分をできるだけ多く減衰しなければならない。再現されるべきブルーの量が増加するにつれて、イエローフィルタの減衰を少なくしなければならない。このため、「１マイナスＲＧＢ」関係を招く。
Ｃｙ＝１−Ｒ
Ｍｇ＝１−Ｇ
Ｙｌ＝１−Ｂ
マゼンタとタンデムであるシアンは、ブルーを生じ、イエローとタンデムであるシアンは、グリーンを生じ、そしてイエローとタンデムであるマゼンタは、レッドを生じる。
【００２９】
減算的混合においては、着色材の特性と、使用する光源のスペクトルとによってホワイトポイントが決定される。観察者の環境において周囲光が照射されるカラー写真のような再現においては、例えば、シーンのホワイト基準と観察環境のホワイト基準との不一致が排除される。
【００３０】
例えば、Ｃプリンタは、減算的色理論を使用して色を発生する。即ち、これらのプリンタは、シアン、マゼンタ及びイエローフィルタを使用して、染料を含む印刷媒体の表面から波長を「減算」する。インクジェットプリンタは、シアン、マゼンタ及びイエローインクを使用して、白色プリンタペーパのようなプリンタペーパの表面から反射された光源からの波長を「減算」するという点で、同様に動作する。
【００３１】
Ｃプリンタにより形成されるテストプリントの色質を評価するときには、観察者は、テストプリントが「暖かい」トーンであり過ぎるか、「冷たい」トーンであり過ぎるか、又はそのどちらでもないか決定する。このようにして、プリントが「暖かい」トーンであり過ぎる場合には、テストプリントは、レッド、マゼンタ及び／又はイエローが強過ぎ、一方、「冷たい」トーンであり過ぎる場合には、テストプリントは、シアン、グリーン及び／又はブルーが強過ぎる。例えば、観察者は、テストプリントが、レッドが強過ぎるか、シアンが強過ぎるか、又はそのどちらでもないか決定することができる。次いで、テストプリントが、レッドが強過ぎるか、シアンが強過ぎるかに基づいて、観察者は、例えば、白色光源からの色成分を減算するように動作するフィルタ装置を調整することができる。
【００３２】
このプロセスは、白色光源の前方に配置されたフィルタが、その光源のＳＰＤから、選択された波形を減算するように働くので、減算的であると考えられる。例えば、テストプリントが、マゼンタが強過ぎる場合には、マゼンタフィルタを使用して、マゼンタをフィルタ除去してもよい。
【００３３】
色管理は、カラーサイエンスのモデル及びアルゴリズムを取り上げ、それらを実世界の商品へと変換するのに必要な実際的なエンジニアリングを与える。色管理は、例えば、装置モデル処理シーケンス、データ及びメタデータ構造、機能的構造及びワークフロー設計で構成される。装置モデル処理シーケンスは、これらのアルゴリズムを適当なシーケンスで一緒に接続して特定の装置及び状況に対処する処理シーケンスである。データ及びメタデータ構造は、全体的なソフトウェア環境の制限内で、色情報及び各個々のモデル又はアルゴリズムのパラメータを処理シーケンスにおいて通信するための手段を与える。機能的構造は、データ及びソフトウェアを通信及び機能させることができるように全体的なソフトウェア環境内でソフトウェアサポートを与える。ワークフロー設計は、機能的ソフトウェア及び色再現結果の両方に対する実際的な制限を与える。
【００３４】
デジタルカメラのような物理的装置が、例えば、加算的ＲＧＢを使用して物理的な物体の像をエンコードすると、像をデータファイルに変換して、標準コンピュータを経て標準カラーモニタで見ることができる。しかしながら、原色（例えば、レッド、グリーン及びブルー）の標準的な選択がないので、像は、その像の基礎を形成した実際の物理的な物体それ自体に比してモニタ上で異なるように見えることがある。例えば、デジタルカメラは、ビューモニタにより使用される原色レッドの燐光体に比して、異なる色相のレッド（例えば、異なるレッドフィルタ）をその原色レッドとして使用してもよい。同様の理由で、モニタ上に見られる物体のデジタル像は、カラープリンターでプリントされる物体のプリントとは異なる色に見えることがある。
【００３５】
この問題を修正するために、インターナショナル・カラー・コンソーシアム（ＩＣＣ）は、色管理プロフィールの概念を導入した。色管理プロフィールとは、装置特有のカラーエンコード機構から標準色空間（例えば、プロフィール変換空間（ＰＣＳ））の座標へ色を変換すると共に、標準色空間から装置特有のカラーエンコード機構の色へ座標を変換する装置特有のプロフィールである。
【００３６】
実世界の用途では、ＰＣＳ色空間が、上述したＣＩＥ  ＸＹＺ色空間であると考えられる。加算的ＲＧＢを使用するデジタルカメラのようなＲＧＢ装置に対して装置特有のＩＣＣプロフィールを形成するために、このＩＣＣプロフィールは、Ｒ、Ｇ、Ｂ原色のＣＩＥ  ＸＹＺ色空間における（Ｘ、Ｙ、Ｚ）座標と、ホワイトポイントの（Ｘ、Ｙ、Ｚ）座標と、レッド、グリーン及びブルー原色に対するガンマ曲線とに関する情報を必要とする。これらの座標が、例えば、Ｙに対して正規化された場合には、それらが、カメラにより使用される原色のＣＩＥ色度図１４０における対応（ｘ、ｙ）座標へとマップされる。この情報では、ＩＣＣプロフィールは、レッド・グリーン・ブルートリプレット（カメラによりエンコードされた色を記述する）を、図１ｃに示す色度図１４０上の対応座標へと変換することができる。
【００３７】
図１ｇ図には、ＩＣＣプロフィールを使用したモニタ２８０からプリンタ２８５への色変換２７５の一例が示されている。図１ｇに示すように、モニタ２８０に表示された像の各ピクセルは、装置特有のモニタＩＣＣプロフィール２９５を使用してＣＩＥ  ＸＹＺ色空間２９０における対応（Ｘ、Ｙ、Ｚ）座標へと変換される。次いで、装置特有のプリンタＩＣＣプロフィール３００が、この（Ｘ、Ｙ、Ｚ）座標を、それに対応する色組合せ、例えば、減算的ＣＭＹカラーコードを使用するプリンタ２８５により使用されるＣＭＹインク組合せに変換する。このように、モニタ２８０上で見られるピクセルの色は、プリンタ２８５で再現されるピクセルの色に密接に類似することができる。
【発明の開示】
【発明が解決しようとする課題】
【００３８】
しかしながら、実物(real life)の物体のデジタル像を捕獲するために使用される全部ではないがほとんどの装置、例えば、デジタルカメラやデジタルカムコーダは、像をＣＩＥ  ＸＹＺ色空間に直接エンコードするのではなく、むしろ、加算的ＲＧＢカラーエンコード機構を使用すると考えられる。加算的ＲＧＢカラーエンコード方法は、人間が知覚するように色を完全に表現するのに充分でないので、デジタルカメラによりエンコードされそしてモニタ上に見られる物体の色は、実物の物体それ自体とは異なる色に見えることが避けられない。
【課題を解決するための手段】
【００３９】
本発明の目的は、像捕獲装置により発生されるデジタル像の色を補正する方法であって、ビューモニタ上で実物の基準ターゲットの基準デジタル像を評価するステップと、基準デジタル像の少なくとも１つの色を、実物の基準ターゲット自体の対応する色と比較するステップと、デジタル像の少なくとも１つの色が実物の基準ターゲットの前記対応する色からずれる場合に弁別色補正プロセスを使用することにより基準デジタル像の少なくとも１つの色を修正するステップであって、前記弁別色補正プロセスが少なくとも１つの補正色組合せを発生するようなステップと、前記少なくとも１つの補正色組合せに基づいてデジタル像の色を補正するステップと、を備えた方法を提供することである。
【００４０】
本発明の別の目的は、前記評価ステップが、基準デジタル像の少なくとも１つの色の選択された１つを、モニタの全ビュー表面に適合するように拡張する段階を含むような前記方法を提供することである。
【００４１】
本発明の更に別の目的は、前記評価ステップが、色比較の技術において訓練された専門の色観察者により基準デジタル像を評価する段階を含むような前記方法を提供することである。
【００４２】
本発明の更に別の目的は、前記比較ステップが、デジタル像の少なくとも一部分を実物の基準ターゲットと比較する段階を含むような前記方法を提供することである。
【００４３】
本発明の更に別の目的は、前記弁別色補正プロセスが、ＣＭＹＫ減算的色補正プロセスを含むような前記方法を提供することである。
【００４４】
本発明の更に別の目的は、前記修正ステップが、デジタル像の少なくとも１つの色を、実物の基準ターゲットの前記対応する色に良く一致するように修正する段階を含むような前記方法を提供することである。
【００４５】
本発明の更に別の目的は、前記比較ステップで、基準デジタル像の少なくとも１つの色が、シアンが強過ぎると決定された場合に、前記修正ステップが、シアンを減算する段階、マゼンタ及びイエローの両方を加算する段階、レッドを加算する段階、並びにグリーン及びブルーの両方を減算する段階、の１つを含むような前記方法を提供することである。
【００４６】
本発明の更に別の目的は、前記比較ステップで、基準デジタル像の少なくとも１つの色が、ブルーが強過ぎると決定された場合に、前記修正ステップが、イエローを加算する段階、シアン及びマゼンタの両方を減算する段階、ブルーを減算する段階、並びにレッド及びグリーンの両方を加算する段階、の１つを含むような前記方法を提供することである。
【００４７】
本発明の更に別の目的は、前記比較ステップで、基準デジタル像の少なくとも１つの色が、グリーンが強過ぎると決定された場合に、前記修正ステップが、マゼンタを加算する段階、シアン及びイエローの両方を減算する段階、グリーンを減算する段階、並びにレッド及びブルーの両方を加算する段階、の１つを含むような前記方法を提供することである。
【００４８】
本発明の更に別の目的は、前記修正ステップが、基準デジタル像の少なくとも１つの色が明る過ぎる場合に中性濃度を減算する段階、及び基準デジタル像の少なくとも１つの色が暗過ぎる場合に中性濃度を加算する段階、の１つを含むような前記方法を提供することである。
【００４９】
本発明の更に別の目的は、前記比較ステップで、基準デジタル像の少なくとも１つの色が、レッドが強過ぎると決定された場合に、前記修正ステップが、シアンを加算する段階、マゼンタ及びイエローの両方を減算する段階、レッドを減算する段階、並びにグリーン及びブルーの両方を加算する段階、の１つを含むような前記方法を提供することである。
【００５０】
本発明の更に別の目的は、前記比較ステップで、基準デジタル像の少なくとも１つの色が、マゼンタが強過ぎると決定された場合に、前記修正ステップが、マゼンタを減算する段階、シアン及びイエローの両方を加算する段階、グリーンを加算する段階、並びにレッド及びブルーの両方を減算する段階、の１つを含むような前記方法を提供することである。
【００５１】
本発明の更に別の目的は、前記比較ステップで、基準デジタル像の少なくとも１つの色が、イエローが強過ぎると決定された場合に、前記修正ステップが、イエローを減算する段階、シアン及びマゼンタの両方を加算する段階、ブルーを加算する段階、並びにレッド及びグリーンの両方を減算する段階、の１つを含むような前記方法を提供することである。
【００５２】
本発明の更に別の目的は、前記修正ステップが、基準デジタル像の少なくとも１つの色が明る過ぎる場合に中性濃度を減算する段階、及び基準デジタル像の少なくとも１つの色が暗過ぎる場合に中性濃度を加算する段階、の１つを含むような前記方法を提供することである。
【００５３】
本発明の更に別の目的は、前記評価ステップの前にビュー環境を校正するステップを更に備えた前記方法を提供することである。
【００５４】
本発明の更に別の目的は、前記校正ステップが、モニタを校正する段階を含むような前記方法を提供することである。
【００５５】
本発明の更に別の目的は、モニタを校正する前記段階が、モニタの背景色を明るい中性グレーに設定する工程と、モニタのハードウェアホワイトポイントを、モニタの形式に基づく温度に設定する工程と、モニタのコントラスト、輝度、ガンマ、色バランス及びホワイトポイントを校正する工程と、を含むような前記方法を提供することである。
【００５６】
本発明の更に別の目的は、前記モニタが、ソニー・トリニトロン・マルチスキャンＥ４００モニタを含み、そして前記モニタのハードウェアホワイトポイントが、約９３００度ケルビンの色温度に設定されるような前記方法を提供することである。
【００５７】
本発明の更に別の目的は、ビュー環境を校正するステップが、環境照明を設定する段階を含むような前記方法を提供することである。
【００５８】
本発明の更に別の目的は、環境照明が、拡散昼光カラープロフィールの６０００から７０００度ケルビンに設定されるような前記方法を提供することである。
【００５９】
本発明の更に別の目的は、環境照明が、拡散昼光カラープロフィールの約６５５０度ケルビンに設定されるような前記方法を提供することである。
【００６０】
本発明の更に別の目的は、前記評価及び修正ステップに対して１組の基本的評価色を定義するステップを更に備えた前記方法を提供することである。
【００６１】
本発明の更に別の目的は、前記１組の基本的評価色が、レッド、グリーン及びブルーを含むような前記方法を提供することである。
【００６２】
本発明の更に別の目的は、前記１組の基本的評価色が、更に、イエローを含むような前記方法を提供することである。
【００６３】
本発明の更に別の目的は、前記１組の基本的評価色が、シアン、マゼンタ及びイエローを含むような前記方法を提供することである。
【００６４】
本発明の更に別の目的は、前記１組の基本的評価色が、更に、中性濃度を含むような前記方法を提供することである。
【００６５】
本発明の更に別の目的は、前記１組の基本的評価色が、顧客により与えられる１組の色に基づいて定義されるような前記方法を提供することである。
【００６６】
本発明の更に別の目的は、顧客により与えられる１組の色が、特定の商品で識別できる１組の色を含むような前記方法を提供することである。
【００６７】
本発明の更に別の目的は、少なくとも１つの補正色組合せに基づいて色補正するための反復可能な手順を構成するステップを更に備えた前記方法を提供することである。
【発明を実施するための最良の形態】
【００６８】
図２には、本発明による色補正手順３０５の機能を例示するフローチャートが示されている。この色補正手順３０５は、開始ステップ３１０で始まって、ターゲット取得ステップ３１５へ進み、基準ターゲットのデジタル像を得る。次いで、色補正手順３０５は、校正ステップ３２０へ進み、ビューモニタ、並びに環境変数及び条件を校正し、正規化する。次いで、評価ステップ３２５が実行され、基準ターゲットのデジタル像を評価し、補正する。色補正及び評価ステップ３２５の結果を使用して、色補正のための反復可能な手順が、手順構成ステップ３３０において構成される。次いで、色補正手順３０５は、退出ステップ３３５において終了となる。
【００６９】
上述したように、ターゲット取得ステップ３１５は、以前に取得された基準ターゲットのデジタル像と比較することのできる任意の物体、写真、図面等でよい基準ターゲットのデジタル像を取得する。基準ターゲットは、例えば、ソーダカン、ソーダボトル、トレードマーク、写真、カラーカード、モンキー、等を含むことができる。本発明による一実施形態では、基準ターゲットは、図３に示すように、工業標準のグレータグ・マクベス・カラーチェッカー（Gretag Macbeth Color Checker）３４０を含む。
【００７０】
グレータグ・マクベス・カラーチェッカー３４０は、色の陰影３５０と、白から黒までのグレースケール３５５とを含む２４個の着色方形３４５を備えている。グレータグ・マクベス・カラーチェッカー３４０は、一貫した色の純粋な顔料で作られるので、良好な基準ターゲットを構成すると考えられる。２４個の着色方形３４５は、それらの相手部分と同じ色であるだけでなく、可視スペクトルの全ての部分において光を同様に反射する。このように、着色方形３４５は、いかなる照明のもとでも且ついかなる色再現プロセスでも、自然の物体の色に一致する。
【００７１】
デジタル像を取得するのに、デジタルカメラや、カムコーダや、スキャナのようないかなる標準的な記録装置を使用してもよい。本発明の一実施形態では、アイライク（eyelike）ＭＦデジタルカメラバック（camera back）が使用され、このカメラバックは、ローデンストックの１０５ｍｍレンズを使用しアパーチャーｆ８においてシャッター速度が１／２５０のローレイＸ−Ａｃｔカメラ本体に取り付けられたフィリップス半導体ＣＣＤを収容したものである。
【００７２】
デジタル像を取得するところの環境照明条件は、色濃度を等化すると共に、カメラのフィルタリング及び照明条件により生じる色合いを減少する助けをするように正規化され且つ校正されねばならない。例えば、グレータグ・マクベス・カラーチェッカー３４０が基準ターゲットとして使用される場合には、例えば、グレータグ・マクベス・カラーチェッカー３４０のホワイトターゲット３６０が２４０から２５３ＲＧＢで測定されるように（即ち、各色が例えば０から２５５の範囲をもつように）、照明を調整することができる。基準ターゲット、例えば、グレータグ・マクベス・カラーチェッカー３４０を均一に照明するために、例えば、実質的に５４００度ケルビンの色温度に設定されたハンセル・スタジオテクニック・ストローブと、２３００ワットで動作するソフトボックスとを使用して、照明を与えることができる。ホワイトターゲット３６０は、例えば、デジタル像を取得するのに使用されたデジタルカメラと共にパッケージされた所有権のあるソフトウェアを使用する等の従来の方法を使用して、バランスをとることができる。
【００７３】
デジタル像は、圧縮したりしなかったりするｐｄｆ、ＴＩＦ、ｊｐｅｇ、又は所有権のあるフォーマットのようないずれかのデジタルフォーマットで記録することができる。本発明の一実施形態では、デジタル像は、データ圧縮なしのＴＩＦフォーマットで記録される。
【００７４】
ターゲット取得ステップ３１５において基準ターゲットのデジタル像が得られた後に、校正ステップ３２０において環境変数を校正して、評価ステップ３２５におけるデジタル像の評価が、例えば、周囲照明条件や、モニタの設定等により誤ったものとならないようにする。環境校正ステップ３２０は、例えば、デジタル像が評価されるところのコンピュータモニタの校正を含むビュー環境の校正を含んでもよい。モニタの校正は、例えば、モニタを観察する環境に対してモニタが基準ターゲットのデジタル像を適切に表示するよう確保する上で助けとなる。
【００７５】
しかしながら、モニタの校正を開始する前に、モニタを少なくとも３０分はターンオンして、その表示の安定性を確保する助けとし、その後に、ビュー環境を以下に述べるように校正しなければならない。次いで、モニタの背景色を、その背景色がモニタの校正中に観察者の色感覚に干渉するのを防止する助けとするように、明るい中性のグレーにセットしなければならない。次いで、モニタのハードウェアホワイトポイント温度を、使用するモニタの形式に基づいてセットして、モニタが、像の表示に使用される色空間（例えば、ｓＲＧＢ）を良好に表示するに充分な高い色温度を示すようにしなければならない。例えば、本発明の一実施形態では、モニタは、ハードウェアホワイトポイント色温度が約９３００度ケルビンにセットされたソニー・トリニトロン・マルチスキャンＥ４００モニタである。
【００７６】
更に、環境照明は、モニタを校正する前に、最良のモニタ校正及び色評価を確保する助けとなるようにセットされねばならない。例えば、環境照明は、例えば、ミノルタカラーメーターＩＩＩＦを使用して測定される、拡散昼光色プロフィールの６０００から７０００度ケルビン（即ち、通常の拡散昼光の色温度）、例えば、約６５５０度ケルビンにセットされてもよい。これは、ビューモニタであるべき観察者の目が最も明るい光源に適応するので、重要である。
【００７７】
モニタのハードウェアホワイトポイントがセットされそしてビュー環境が校正された後に、モニタの校正を行うことができる。モニタの校正は、例えば、モニタのコントラスト、輝度、ガンマ（中間調）、色バランス、及びホワイトポイントを最適な設定へと校正することを含む。次いで、これらの設定を使用して、例えば、モニタのプロフィール（例えば、ＩＣＣプロフィール）を特徴付け又は形成することができる。これら最適な設定を決定する上で助けとなるように、例えば、アドブ・コーポレーションにより製造されるアドブ・フォトショップ・ソフトウェアのアドブ・ガンマ・コントロール・パネルのような従来のガンマ調整ツールを使用してもよい。
【００７８】
再び図２を参照すれば、校正ステップ３２０の後に、色補正手順２００の評価ステップ３２５が実行される。このステップでは、実物の基準ターゲットから形成されたデジタル像の色が評価され、そして実物の基準ターゲット自体の見掛けと比較される。この評価ステップの間に、ビュー条件を、モニタの校正に使用した条件とほぼ同様に保ち、デジタル像の評価が、例えば照明の変化で誤ったものとならないようにしなければならない。本発明の一実施形態では、評価ステップ３２５は、白色光のビューブースにおいて実行される。
【００７９】
評価プロセスは、モニタに表示された基準ターゲットのデジタル像に従来の写真カラープリント評価を再適用することに基づいている。上述したように、Ｃプリンタにより使用される評価プロセスは、減算的色理論に基づいている。即ち、これらのプリンタは、シアン、マゼンタ及びイエローのフィルタを使用して、写真ペーパーを露光するのに使用される白色光から波長を「減算」（即ち、フィルタ）する。このプロセスは、例えば、印刷された写真ネガティブを評価及び補正するように実施できる。というのは、写真は、フィルタリングにより容易に修正できる外部光源で露光されるからである。しかしながら、上記フィルタリングプロセスは、コンピュータで色を再現するやり方のために、カラーコンピュータモニタ上に形成されたデジタル像を評価及び補正する上で助けとなるようには使用できないと考えられる。即ち、コンピュータモニタの各ピクセルは、加算的ＲＧＢプロセスを使用して色を発生するので、不都合なことに、上記物理的な減算的フィルタリングプロセスを効率的に実施するためには、各コンピュータピクセルの各着色光（例えば、レッド、グリーン、ブルー）の上に、選択された小型のフィルタを物理的に配置することが必要となる。
【００８０】
しかしながら、本発明の一実施形態によれば、デジタル像における色の食い違いを評価及び補正するために、「減算的」色評価及び補正プロセスを使用することができる。この実施形態によれば、モニタ上に表示されたデジタル像の色に「減算的三原」色を「加算」することができる。例えば、写真のネガティブの場合のように、マゼンタを減算するのではなく、ある色にマゼンタを加えて、マゼンタを加算する。例えば、ＲＧＢ加算的混合の和から、シアン、マゼンタ及びイエローを発生することができる。
【００８１】
図４を参照すれば、色補正手順３０５の評価ステップ３２５において実行される評価手順４００が例示されている。
【００８２】
この評価手順４００は、ステップ４０５で開始して、基本的評価定義ステップ４１０へ進み、ここでは、本発明による色補正手順３０５により評価及び補正するために１組の基本的な評価色が定義される。一実施形態では、レッド、グリーン及びブルーが１組の基本的な評価色として選択される。別の実施形態では、レッド、グリーン、ブルー及びイエロー（ＲＧＢＹ）が選択される。しかしながら、１組の基本的な評価色として他の色が選択されてもよいし、又、１組の基本的な評価色がいかなる数の色を含んでもよいことが明らかであろう。例えば、１組の基本的な評価色は、顧客により与えられる１組の色、例えば、特定の商品で識別できる１組の色、例えば、７−ＵＰのグリーン又はコカコーラのレッドに基づいて選択されてもよい。このように、本発明による色補正手順３０５は、顧客の商品の類似性を保存し、従って、色補正手順３０５を、顧客にとって重要で、ひいては、より正確に補正する価値のある特定の１組の色に対して「正規化」することができる。
【００８３】
１組の基本的な評価色が、評価色定義ステップ４１０において選択された後に、拡張ステップ４１５が実行され、ここでは、基本的な評価色の選択された１つが、モニタの全ビュー表面に適合するように拡張される。このように、例えば、コンピュータモニタ上の背景色が、評価手順を駄目にしないようにする。
【００８４】
次いで、評価及び補正ステップ４２０が実行され、ここでは、拡張ステップ４１５で選択された基本的な評価色が評価され補正される。
【００８５】
次いで、問合せステップ４２５は、１組の基本的な評価色の全ての色が評価及び補正されたかどうか決定する。もしそうでなければ、１組の基本的な評価色の新たな色が、色選択ステップ４３０において選択され、次いで、その色が、評価及び補正ステップ４２０で評価及び補正される。しかしながら、最後の色が丁度評価及び補正されたと問合せが指示する場合には、評価及び補正手順は、退出ステップ４３５において終了となる。
【００８６】
評価及び補正ステップ４２０は、基準ターゲットのデジタル像と実物の基準ターゲット自体との間の色変化を補正するように働く。このため、観察者、例えば、色比較の分野で訓練された専門の色観察者は、デジタル像の少なくとも一部分の色を、実物の基準ターゲット自体の対応部分の色と比較し、そしてデジタル像の色部分の色を、実物の基準ターゲットの対応部分に良好に一致するように修正する。しかしながら、色補正は、評価された部分の色だけを修正し、基準ターゲットのデジタル像の他の色は変化させないものでなければならない。従って、最も正確な色補正を行なえるよう確保する上で助けとなるように、ステップ４１０で選択される基本的な評価色は、基準ターゲットのデジタル像及び／又は実物の基準ターゲット自体に存在する色でなければならない。というのは、色補正手順は、ステップ４１０で選択された色だけを修正するように働くからである。
【００８７】
色は、例えば、加算的ＲＧＢ、加算的ＲＧＢＹ（レッド・グリーン・ブルー・イエロー）、減算的ＣＭＹ、及び／又は減算的ＣＭＹＫを用いる手順のような弁別的色補正手順を使用することにより、修正することができる。本発明の一実施形態では、基準ターゲットのデジタル像と実物の基準ターゲットそれ自体との間の色変化を補正するのに、減算的ＣＭＹＫ評価及び補正手順が使用される。このため、弁別的ＣＭＹＫカラーモデル５１０が図５に示されている。カラーモデル５１０は、例えば、基準ターゲットのデジタル像の色を評価するために、観察者により使用することができる。カラーモデル５１０は、加算的原色レッド５１５、グリーン５２０及びブルー５２５、並びにそれに対応する減算的原色シアン５３０、マゼンタ５３５及びイエロー５４０の両方を表示する。更に、モデル５１０は、中性グレー５４５を参照するグレースケールも表示する。
【００８８】
このように、観察者は、ステップ４１０で選択された基本的な評価色の１つ、例えば、デジタル像及び／又は実物の基準ターゲットそれ自体にも存在する（レッド）、を評価する。次いで、観察者は、デジタル像の（レッド）を、実物の基準ターゲットの対応する（レッド）と比較する。例えば、減算的ＣＭＹＫ補正手順を使用して、観察者は、例えば、デジタル像の（レッド）が、実物の基準ターゲットの対応する（レッド）に比して、レッドが強過ぎる場合に、デジタル像にシアンを加算する（又はマゼンタ及びイエローの両方を減算する）ことができる。減算的ＣＭＹＫ評価及び補正プロセスに対する補正色組合せのリストを以下のチャートに例示する。
【００８９】
【表１】
2006500877.tif 000007
【００９０】
従って、例えば、デジタル像のターゲット色が、シアン及びブルーの両方が強過ぎるものである場合には、観察者は、例えば、シアンを減算し（−Ｃｙ）（強過ぎるシアンを補正するために）そしてイエローを加算する（＋Ｙｌ）（強過ぎるブルーを補正するために）ことにより、色の食い違いを補正することができる。或いは又、強過ぎるシアンを補正するためにシアンを減算するのではなく、観察者は、マゼンタ及びイエローの両方を加算してもよい（＋Ｍｇ、＋Ｙｌ）（強過ぎるシアンを補正するために）。更に、強過ぎるブルーを補正するためにイエローを加算するのではなく、観察者は、シアン及びマゼンタの両方を減算してもよい（−Ｃｙ、−Ｍｇ）（強過ぎるブルーを補正するために）。その結果、「減算的原色」ＣＭＹＫを使用して基本的な評価色を補正するための４つの選択肢が得られる。
【００９１】
ａ）強過ぎるシアンを補正するためにシアンを減算すると共に、強過ぎるブルーを補正するためにイエローを加算する（−Ｃｙ、＋Ｙｌ）；
ｂ）強過ぎるシアンを補正するためにシアンを減算すると共に、強過ぎるブルーを補正するためにシアン及びマゼンタの両方を減算する（−−Ｃｙ、−Ｍｇ）；
ｃ）強過ぎるシアンを補正するためにマゼンタ及びイエローの両方を加算すると共に、強過ぎるブルーを補正するためにシアン及びマゼンタの両方を減算する（−Ｃｙ、＋Ｙｌ）；及び
ｄ）強過ぎるシアンを補正するためにマゼンタ及びイエローの両方を加算すると共に、強過ぎるブルーを補正するためにイエローを加算する（＋Ｍｇ、＋＋Ｙｌ）。
【００９２】
しかしながら、選択肢ａ）及びｂ）は、同じ補正色組合せを形成するので、強過ぎるシアン及び強過ぎるブルーの両方である基本的な評価色を補正するための選択肢の実際の数は、３つである。観察者は、例えば、３つ全部の色補正を別々に実行してもよく、そして色の食い違いを良好に補正すると思われる色補正を選択してもよい。
【００９３】
弁別的色補正手順は、ステップ４１０で選択された基本的な評価色、及びステップ４１０で選択された色と同様の色の陰影のみを補正するように働かねばならないことに注目するのが重要である。しかしながら、色補正手順は、ステップ４１０で選択された他の基本的評価色のような、デジタル像の他の色を補正するように働いてはならない。このように、弁別的色補正手順で、考えられる最良の結果を達成することが良好に確保される。このため、観察者は、例えば、アドブ・コーポレーションにより製造される「アドブ・フォトショップにおける選択的カラー調整」を使用して、シアン、マゼンタ、イエロー及び中性濃度（例えば、ブラック、ホワイト又はグレー）で像を修正することができる。
【００９４】
図６には、図４のステップ４２０の評価及び補正手順６００が見られる。この評価及び補正手順６００は、シアン／レッド問合せステップ６０５で始まり、ここでは、観察者が、基準ターゲットのデジタル像を評価し、そしてステップ４１０で選択された基本的な評価色（これは、基準ターゲットのデジタル像にも存在する）が、シアンが強過ぎるか、レッドが強過ぎるか、又はそのどちらでもないか決定する。デジタル像における基本的な評価色が、レッドが強過ぎるものであると観察者が決定した場合には、マゼンタ／イエロー問合せステップ６１０が実行される。或いは又、デジタル像における基本的な評価色が、シアンが強過ぎるものであると観察者が決定した場合には、ブルー／グリーン問合せステップ６１５が実行される。或いは又、デジタル像における基本的な評価色が、レッドが強過ぎるのでもシアンが強過ぎるのでもないと観察者が決定した場合には、明るい／暗い問合せステップ６２０が実行される。
【００９５】
デジタル像における基本的な評価色が、レッドが強過ぎるものであると観察者が決定した場合には、マゼンタ／イエロー問合せステップ６１０が実行され、ここで、観察者は、デジタル像における基本的な評価色が、マゼンタが強過ぎるか、イエローが強過ぎるか、又はそのいずれでもないか決定する。デジタル像における基本的な評価色が、マゼンタが強過ぎると観察者が決定した場合には、レッド／マゼンタ補正ステップ６２５が実行されて、過剰なレッド及びマゼンタが、次の選択肢の１つにより補正される。
【００９６】
【表２】
2006500877.tif 000008
【００９７】
観察者は、例えば、３つ全部の上記色補正を実行し、次いで、３つの選択肢のどれが色の食い違いを最良に補正すると思われるか選択する。
【００９８】
或いは又、マゼンタ／イエロー問合せステップ６１０から、デジタル像における基本的な評価色が、レッドが強過ぎ且つイエローが強過ぎると観察者が決定する場合には、レッド／イエロー補正ステップ６３０が実行されて、過剰なレッド及びイエローが、次の選択肢の１つにより補正される。
【００９９】
【表３】
2006500877.tif 000009
【０１００】
観察者は、例えば、３つ全部の上記色補正を実行し、次いで、３つの選択肢のどれが色の食い違いを最良に補正すると思われるか選択する。
【０１０１】
或いは又、マゼンタ／イエロー問合せステップ６１０から、デジタル像における基本的な評価色が、レッドが強過ぎるが、マゼンタが強過ぎもイエローが強過ぎもしないと観察者が決定する場合には、レッド補正ステップ６３５が実行されて、過剰なレッドが、次の選択肢の１つにより補正される。
【０１０２】
【表４】
2006500877.tif 000010
【０１０３】
観察者は、例えば、両方の上記色補正を実行し、次いで、２つの選択肢のどれが色の食い違いを最良に補正すると思われるか選択する。
【０１０４】
シアン／レッド問合せステップ６０５において、デジタル像における基本的な評価色が、シアンが強過ぎると観察者が決定した場合には、ブルー／グリーン問合せステップ６１５が実行されて、観察者は、デジタル像における基本的な評価色が、ブルーが強過ぎるか、グリーンが強過ぎるか、又はそのいずれでもないか決定する。デジタル像における基本的な評価色が、ブルーが強過ぎると観察者が決定した場合には、シアン／ブルー補正ステップ６４５が実行されて、過剰なシアン及びブルーが、次の選択肢の１つにより補正される。
【０１０５】
【表５】
2006500877.tif 000011
【０１０６】
観察者は、例えば、３つ全部の上記色補正を実行し、次いで、３つの選択肢のどれが色の食い違いを最良に補正すると思われるか選択する。
【０１０７】
或いは又、ブルー／グリーン問合せステップ６１５において、デジタル像における基本的な評価色が、シアンが強過ぎ且つグリーンが強過ぎると観察者が決定した場合には、シアン／グリーン問合せステップ６５０が実行されて、過剰なシアン及びグリーンが、次の選択肢の１つにより補正される。
【０１０８】
【表６】
2006500877.tif 000012
【０１０９】
観察者は、例えば、３つ全部の上記色補正を実行し、次いで、３つの選択肢のどれが色の食い違いを最良に補正すると思われるか選択する。
【０１１０】
或いは又、ブルー／グリーン問合せステップ６１５から、デジタル像における基本的な評価色が、シアンが強過ぎるが、ブルーが強過ぎもグリーンが強過ぎもしないと観察者が決定する場合には、シアン補正ステップ６５５が実行されて、過剰なシアンが、次の選択肢の１つにより補正される。
【０１１１】
【表７】
2006500877.tif 000013
【０１１２】
観察者は、例えば、両方の上記色補正を実行し、次いで、２つの選択肢のどれが色の食い違いを最良に補正すると思われるか選択する。
【０１１３】
上述した種々の実施形態は、１組の基本的な評価色における色の食い違いを補正するための特定の色補正組合せを示すが、特定の色の食い違いを補正するための色組合せの数は無限に存在し、又、これらの色の組合せは、無限数の色の１つ以上を含んでもよい。従って、本発明は、上述した色の組合せに限定されるものではなく、むしろ、ステップ４１０で選択された基本的評価色のいずれの色の食い違いも補正するためのどんな及びあらゆる補正色組合せも網羅するものとする。
【０１１４】
色補正ステップ６２５、６３０、６３５、６４５、６５０、６５５の選択された１つが実行され後に、又はシアン／レッド問合せステップ６０５において、デジタル像における基本的評価色が、レッドが強過ぎるのでもシアンが強過ぎるのでもないと観察者が決定した場合には、明るい／暗い問合せステップ６２０が実行されて、デジタル像における基本的評価色が、明る過ぎるか、又は暗過ぎるか決定される。デジタル像における基本的評価色が明る過ぎると観察者が決定した場合には、明るさ補正ステップ６６５が実行されて、デジタル像における基本的評価色の過剰な明るさが、中性濃度を減算することにより補正される。或いは又、明るい／暗い問合せステップ６２０において、デジタル像における基本的評価色が暗過ぎると観察者が決定する場合には、暗さ補正ステップ６７０が実行されて、デジタル像における基本的評価色の過剰な暗さが、中性濃度を加算することにより補正される。
【０１１５】
或いは又、明るい／暗い問合せステップ６２０において、デジタル像における基本的評価色が明る過ぎも暗過ぎもしないと観察者が決定する場合には、評価及び補正手順は、退出ステップ６７５で終了となる。
【０１１６】
図４に示すように、ステップ４２０で実行される評価及び補正手順６００は、評価定義ステップ４１０で定義された選択された色グループの各色について一度実行される。
【０１１７】
図４のステップ４１０で定義された１組の基本的な評価色の全ての色について評価及び補正手順が実行されると、図３の評価ステップが終了し、そして構成ステップ３３０が実行される。この構成ステップ３３０では、色補正の反復可能な手順が構成される。このため、ステップ４１０で定義された各色に対して評価及び補正手順６００により形成された補正色組合せを、補正シーケンスファイルに書き込むことができ、このファイルは、例えば、コンピュータのハードドライブ、フロッピーディスク、又は他の従来の記憶媒体にセーブすることができる。或いは又、上記補正手順３０５、６００からの補正結果は、例えば、個別ロジック、現場でプログラム可能なゲートアレー（ＦＰＧＡ）、及び／又は特定用途向け集積回路（ＡＳＩＣ）のようなハードウェアで実施されてもよい。しかしながら、ハードウェアで実施されるかソフトウェアで実施されるかに関わらず、ステップ４１０で定義される各色に対する補正色組合せは、例えば、その後のデジタル像、例えば、花やモンキーや風景等のデジタル像の色を補正する上で助けとなるように使用できる。
【図面の簡単な説明】
【０１１８】
【図１ａ】ＣＩＥ  ＸＹＺの３つの色整合関数を示すグラフである。
【図１ｂ】白色光源用の三刺激値（Ｘ、Ｙ、Ｚ）を計算するためのマトリクス乗算を例示する図である。
【図１ｃ】ＣＩＥ  ＸＹＺ色度図である。
【図１ｄ】種々の白色光源のＳＰＤを示す図である。
【図１ｅ】加算的色混合を示す図である。
【図１ｆ】減算的色混合を示す図である。
【図１ｇ】ＩＣＣプロフィールを使用した色変換を例示するブロック図である。
【図２】本発明による色補正手順を例示する図である。
【図３】マクベス・グレータグ・カラーチェッカーを示す図である。
【図４】本発明による色評価手順を例示する図である。
【図５】減算的ＣＭＹＫ色モデルを示す図である。
【図６】本発明による別の評価及び補正手順を例示する図である。
【図１ａ】
2006500877.tif 000014
2006500877.tif 000015
【図１ｃ】
2006500877.tif 000016
2006500877.tif 000017
【図１ｅ】
2006500877.tif 000018
【図１ｆ】
2006500877.tif 000019
【図１ｇ】
2006500877.tif 000020
【図２】
2006500877.tif 000021
【図３】
2006500877.tif 000022
【図４】
2006500877.tif 000023
【図５】
2006500877.tif 000024
【図６】
2006500877.tif 000025
【国際調査報告】
2006500877.tif 000026
2006500877.tif 000027